(57)【要約】【課題】 パチンコ玉等がぶつかる時の衝撃音を低減することができ、しかも、製造コストを低く抑えることができるパチンコ玉等の収納箱を提供する。【解決手段】  箱本体2の底壁2a内面に、損失正接（ｔａｎδ）のピーク値が０．５以上である有機高分子材料からなりかつ箱本体2の底面積よりも小さい面積を有する消音シート3が貼り合わせられている。消音シート3が設置されていない箇所にパチンコ玉が落下した場合でも、振動による二次音を損失正接の大きい消音シート3に吸収させ、衝撃音を低減させる。【選択図】    図１
2005143908.tif 000002
【特許請求の範囲】
【請求項１】
箱本体の底壁内面に、損失正接（ｔａｎδ）のピーク値が０．５以上である有機高分子材
料からなり、かつ箱本体の底面積よりも小さい面積を有する消音シートが貼り合わせられ
ていることを特徴とするパチンコ玉等の収納箱。
【発明の詳細な説明】
【技術分野】
【０００１】
本発明は、パチンコ、パチスロ、スロットマシン等の遊技機で遊技者が獲得した玉、コ
インおよびメダル（この明細書において「パチンコ玉等」と称す）を収納する収納箱に関
し、特に、パチンコ玉等を収納する際に発生する騒音や衝撃力を低減したパチンコ玉等の
収納箱に関する。
【背景技術】
【０００２】
この種の収納箱は、硬質熱可塑性合成樹脂で一体に形成されているが、パチンコ台下部
に設置されている受け皿から排出されるパチンコ玉が収納箱に当たる衝撃音がパチンコ店
内の大きな騒音源となっていることから、この音を低減するために、収納箱の底壁内面全
面に緩衝シートを設けることが提案されている（特許文献１）。この収納箱は、緩衝シー
トを箱本体の底面積と同じ大きさとし、箱本体の底壁内面に突出状係合部を形成するとと
もに、緩衝シートにこれに嵌め合わせられるスリット状被係合部を形成し、係合部と被係
合部との嵌め合わせによって緩衝シートを箱本体に取り付けたものである。
【特許文献１】特開２００３−２５１０６２号公報
【発明の開示】
【発明が解決しようとする課題】
【０００３】
上記特許文献１のパチンコ玉等の収納箱において、緩衝シートが設置されている箇所に
パチンコ玉が落下した場合には、衝撃音が低下するものの、緩衝シートが設置されていな
い箇所にパチンコ玉が落下した場合には、衝撃音はほとんど低下しない。パチンコ台の受
け皿位置は機種によって異なっているし、収納箱が置かれる位置も一定しないため、衝撃
音の低下の効果を得るためには、収納箱の底壁内面全面に緩衝シートを設けることが必須
となっている。しかしながら、収納箱のサイズや形状には多くの種類があることから、既
存の各種収納箱に対応するためには、非常に多くの種類の緩衝シートを用意しなければな
らず、製造コストが高くつくという問題があった。
【０００４】
本発明は、パチンコ玉等がぶつかる時の衝撃音を低減することができ、しかも、製造コ
ストを低く抑えることができるパチンコ玉等の収納箱を提供することを目的とする。
【課題を解決するための手段】
【０００５】
この発明によるパチンコ玉等の収納箱は、箱本体の底壁内面に、損失正接（ｔａｎδ）
のピーク値が０．５以上である有機高分子材料からなり、かつ箱本体の底面積よりも小さ
い面積を有する消音シートが貼り合わせられていることを特徴とするものである。
【０００６】
損失正接は、損失引張り弾性率（Ｅ”）を貯蔵弾性率（Ｅ’）で除した値であり、振動
を熱に変換する指標である。この値が大きいと振動がより多くの熱に変換されるため、振
動が低減される。損失正接のピーク値が０．５以上である場合に、パチンコ台等の下に設
置されている受け皿から排出されるパチンコ玉等が収納箱にぶつかったときに発生する衝
撃音が低減する理由を以下に示す。
【０００７】
パチンコ玉が受け皿から収納箱の底壁に落下すると、衝撃音発生と同時に衝撃による振
動が箱全体に伝搬し、この振動により二次音が発生する。損失正接が大きな有機高分子材
料を使用する場合、振動したがって二次音が低減されるため、消音シートが設置されてい
ない箇所にパチンコ玉が落下した場合でも、衝撃音低下の効果が得られる。損失正接（ｔ
ａｎδ：以下単に「ｔａｎδ」ということがある。）のピーク値は、０．５以上、好まし
くは、１．０以上である。
【０００８】
有機高分子材料は任意であるが、損失正接が高いことから、塩化ビニル系熱可塑性エラ
ストマー、天然ゴム、ブタジエン−アクリロニトリルゴム、スチレンブタジエン、エチレ
ン−プロピレン−ジエン（ＥＰＤＭ）、フッ素ゴムなどが好ましい。有機高分子材料には
必要に応じて可塑剤や充填材が添加されてもよい。
【０００９】
消音シートが箱本体の底面積よりも小さい面積を有していることに加えて、箱本体の底
壁の周縁に、１個のパチンコ玉が脱落せずに入り込んで玉の一部が下方に突出する程度の
貫通孔が少なくとも１つ設けられており、消音シートは、この貫通孔を塞がないように設
けられていることが好ましい。このようにすると、収納箱をパチンコの玉箱として使用し
た際に、通常金属製であるパチンコ台の受台上にこの玉箱を置いたときに、パチンコ玉が
受台に接してアースすることができ、この静電気防止機能を維持したままで、騒音を低減
することができる。
【００１０】
消音シートが小さすぎると、玉の衝撃によって発生する二次音の低減効果が少なくなる
ことから、消音シートの面積は、箱本体の底面積の３０〜９０％であることが好ましく、
５０〜９０％であることがより好ましい。
【００１１】
消音シートの形状は、任意で良く、例えば、長方形（Ｒ付き、Ｒ無しのどちらでも可）
、正方形（Ｒ付き、Ｒ無しのどちらでも可）、ひし形、円形、楕円形、星形等が挙げられ
、箱本体の底壁の形状によることなく、デザインを重視してその形状を決めることもでき
る。また、消音シートの厚みも任意である。この厚みが厚いほど衝撃音の低減効果が大き
くなる。しかし、厚みが厚すぎると、パチンコ玉等の収納数が減り、遊技店で収納箱をよ
り多く準備する必要があったり、遊技者から箱満杯時のパチンコ玉等の総数が分かりにく
いなどのクレームが発生する恐れがあるので、消音シートの厚みは、１ｍｍ〜１０ｍｍが
好ましく、２ｍｍ〜５ｍｍがより好ましい。
【００１２】
消音シートを箱本体の底壁内面に設置するには、両面テープや接着剤等を用いて、消音
シートを箱本体の底壁内面に貼り合わせればよい。
【００１３】
（作用）
この発明のパチンコ玉等の収納箱によると、消音シートが設置されている箇所にパチン
コ玉が落下した場合だけでなく、消音シートが設置されていない箇所にパチンコ玉が落下
した場合でも、パチンコ玉等が箱本体にぶつかった時に発生する衝撃音が低減される。し
たがって、消音シートの寸法精度や位置決め精度を厳しく管理する必要がないので、例え
ば、８０ｍｍ×１９０ｍｍの消音シートを用意すれば、サイズや形状が異なる収納箱のう
ちの非常に多くのものに適用可能となり、せいぜい数種類（１種類だけでも可）の消音シ
ートを用意すれば、サイズや形状が異なる収納箱のすべてに対応することができる。
【発明の効果】
【００１４】
この発明のパチンコ玉等の収納箱によると、パチンコ玉がぶつかる時の衝撃音が消音シ
ートによって低減されるので、遊技店内の騒音防止に大きく寄与することができる。また
、消音シートの寸法精度や位置決め精度を厳しく管理する必要がないので、容易にかつ低
コストで製造することができる。
【発明を実施するための最良の形態】
【００１５】
以下、図面を参照して、この発明の実施形態について説明する。
【００１６】
図１は、本発明によるパチンコ玉等の収納箱の１実施形態を示すもので、パチンコ玉等
の収納箱(1)は、上面を開口した硬質熱可塑性合成樹脂製箱本体(2)と、箱本体(2)の底壁(
2a)内面に貼り合わせられた消音シート(3)とを備えている。
【００１７】
箱本体(2)は、左右が長い長方形の底壁(2a)、左右側壁(2b)および前後側壁(2c)を有し
ている。左右側壁(2b)および前後側壁(2c)は、いずれも上方に行くに連れてそれらの間隔
が広がる傾斜状とされている。左右側壁(2b)の上面には、把手部(4)が設けられている。
底壁(2a)の左右の中央部には、１個のパチンコ玉が脱落せずに入り込んで玉の一部が下方
に突出する程度の貫通孔(5)が前後に対向するように１つずつ設けられている。
【００１８】
消音シート(3)は、箱本体(2)の底壁(2a)よりも１回り小さい長方形とされて、両面テー
プなどにより底壁(2a)中央に貼り合わされている。消音シート(3)は、その面積が箱本体(
2)の底壁(2a)の面積の半分程度とされている。消音シート(3)の面積は、箱本体(2)の底壁
(2a)の面積の３０〜９０％であればよく、例えば、１５０ｃｍ２の消音シート(3)であれ
ば、底壁(2a)の面積が１６７〜５００ｃｍ２までの箱本体(2)に対応させることができる
。
【００１９】
箱本体(2)の底壁(2a)に設けられている貫通孔(5)は、通常金属製であるパチンコ台の受
台上に収納箱(1)を置いたときに、孔(5)内のパチンコ玉が受台に接してアースするための
もので、少なくとも１つあればよく、その設置位置も任意でよい。消音シート(3)は、箱
本体(2)の底壁(2a)の面積よりも小さい範囲で、種々の形状や寸法にすることが可能であ
るが、上記貫通孔(5)を塞がないように形成されることが好ましい。なお、消音シート(3)
の上面に、消音シート(3)の保護および装飾性向上のための合成樹脂製フィルム等のカバ
ー層を設けるようにしてもよい。
【００２０】
本発明を実施例に基づいてさらに詳しく説明する。
【００２１】
実施例１
消音シート(3)は、ポリ塩化ビニルエラストマー（アプコ社製、商品名「サンプレーン
ＦＦ４０ＦＡ」）で構成され、外寸８０ｍｍ×１９０ｍｍ、厚さ２ｍｍとされ、ｔａｎ
δピーク値は１．０であった。この消音シート(3)をポリカーボネート製玉箱（光新星社
製、「遊ボックス」）(2)の底壁(2a)内面の中央部に両面テープで固定し、これを実施例
１とした。
【００２２】
実施例２
消音シート(3)にエチレン−プロピレン−ジエン（ＥＰＤＭ、ｔａｎδピーク値＝０．
６）を使用した以外は実施例１と同様にし、これを実施例２とした。
【００２３】
比較例１
消音シート(3)に代えてウレタン発泡体（厚み＝３．０ｍｍ）を使用した以外は実施例
１と同様にし、これを比較例１とした。
【００２４】
比較例２
消音シート(3)に代えてシリコーンゴム（ｔａｎδピーク値＝０．２）を使用した以外
は実施例１と同様にし、これを比較例２とした。
【００２５】
損失正接測定
粘弾性スペクトロメータ（岩本製作所社製）を用いて、測定周波数５０Ｈｚ、試料長さ
１５ｍｍ、歪み量２０μｍの条件で測定温度：−８０℃〜＋８０℃の範囲で昇温温度６℃
／分にて測定を行った。得られた損失引張り弾性率（Ｅ”）を貯蔵弾性率（Ｅ’）で除す
ることで損失正接を算出し、ピーク値を求めた。
【００２６】
防音性能測定
図２および図３に示すように、２５０個のパチンコ玉(P)が入った容器(B)を高さ２０ｃ
ｍに設置し、これらののパチンコ玉(P)を６秒間にすべてが落下する速度で落下させ、そ
の際の音を測定した。パチンコ玉(P)の落下位置としては、箱本体(2)の底壁(2a)の中央部
すなわち消音シート(3)設置部分の場合（図２）と、箱本体(2)の底壁(2a)の左右端部すな
わち消音シート(3)非設置部分の場合（図３）との２条件について実施した。
【００２７】
音評価方法としては、測定時間を５秒とし、等価騒音レベルＬＡｅｑで評価した。マイ
クロフォンは、玉箱から２０ｃｍ離れた地点で、高さ６０ｃｍの位置に設置した。結果を
表１に示す。
【表１】
2005143908.tif 000003
【００２８】
この測定結果によると、パチンコ玉(P)を底壁(2a)の中央部に落下させた場合、比較例
１では９７ｄＢ、比較例２では９９ｄＢであったものが、実施例１では９５ｄＢ、実施例
２では９６ｄＢまで低下した。また、パチンコ玉(P)を底壁(2a)の端部に落下させた場合
、比較例１では１０３ｄＢ、比較例２では１０２ｄＢであったものが、実施例１では９７
ｄＢ、実施例２では９８ｄＢまで低下した。すなわち、消音シートが設置されている箇所
にパチンコ玉が落下した場合はもちろんのこと、消音シートが設置されていない箇所にパ
チンコ玉が落下した場合でも、衝撃音低下の効果が得られることが分かる。
【図面の簡単な説明】
【００２９】
【図１】図１は、本発明によるパチンコ玉等の収納箱の１実施形態を示す図である。
【図２】図２は、本発明によるパチンコ玉等の収納箱の騒音測定の１条件を示す図である。
【図３】図３は、本発明によるパチンコ玉等の収納箱の騒音測定の他の条件を示す図である。
【符号の説明】
【００３０】
(1) ：パチンコ玉等の収納箱
(2) ：箱本体
(3) ：消音シート
【図１】
2005143908.tif 000004
【図２】
2005143908.tif 000005
【図３】
2005143908.tif 000006